(57)【要約】【課題】緊急時に静止画伝送する放送の仕組みや、それに応じた回路を必要とすることなく、緊急時に必要とされる静止画情報を高精細に再生することができる携帯用のデジタルＴＶ受信機を提供する。【解決手段】デジタルＴＶ受信機の再生制御部１１０は、チューナー部１０２で選択するチャンネルが緊急放送用チャンネルに切り換えられたとき、映像信号処理部１０６で再生された映像信号からＩピクチャに対応した映像信号を取り出して緊急放送フレームメモリ１１１に格納すると共に、フレームメモリ１１１から前記映像信号を繰り返し読み出して映像信号表示部１０７のディスプレイに表示する。【選択図】図１
2007221634.tif 000002
【特許請求の範囲】
【請求項１】
フレーム毎に圧縮符号化された映像信号および圧縮符号化された音声信号が多重化された信号を含むデジタルテレビ放送の複数のチャンネルから所望のチャンネルを選択し、前記所望のチャンネルに含まれる多重化信号を取り出すチューナー部と、
前記チューナー部で取り出した多重化信号から映像信号を分離する信号分離部と、
前記信号分離部で分離した映像信号をデコードおよび伸張して映像信号を再生する映像信号処理部と、
前記映像信号処理部で再生した映像信号をディスプレイに表示する映像信号表示部と、
前記映像信号処理部で再生した映像信号を格納するメモリと、
前記映像信号処理部の動作を制御する制御部と、
前記チューナー部で受信した放送波から緊急放送に関する信号を検出する緊急放送検出部と、
前記緊急放送検出部で緊急放送に関する信号を検出したときに、前記チューナー部で選択するチャンネルを緊急放送用チャンネルに切り換える緊急放送切換部とを備え、
前記制御部は、前記チューナー部で選択するチャンネルが緊急放送用チャンネルに切り換えられたとき、前記映像信号処理部で再生された映像信号から所定期間のフレームに含まれる映像信号を取り出して前記メモリに格納すると共に、前記メモリから前記映像信号を繰り返し読み出して前記ディスプレイに表示することを特徴とするデジタルテレビ受信機。
【請求項２】
前記制御部は、前記映像信号処理部で再生された映像信号から、１フレーム内の映像信号が圧縮符号化された画像を含むフレームの映像信号を取り出して前記メモリに格納することを特徴とする請求項１に記載のデジタルテレビ受信機。
【請求項３】
前記制御部は、前記映像信号処理部で再生された映像信号から、映像信号の圧縮符号化を行う最小単位に含まれる複数のフレームの映像信号を取り出して前記メモリに格納することを特徴とする請求項１に記載のデジタルテレビ受信機。
【請求項４】
前記制御部は、前記映像信号処理部で再生された映像信号から、画面が新しい静止画に切り替わった後、放送にエラーがない状態で得られた範囲に含まれる複数のフレームの映像信号を取り出して前記メモリに格納することを特徴とする請求項１に記載のデジタルテレビ受信機。
【請求項５】
前記制御部は、前記映像信号処理部で再生された映像信号から、画面が新しい静止画に切り替わった後、伸長時に使用するパラメータの値が最も高精彩になるところまでに含まれる複数のフレームの映像信号を取り出して前記メモリに格納することを特徴とする請求項１に記載のデジタルテレビ受信機。
【請求項６】
前記制御部は、前記映像信号処理部で再生された映像信号から、画面が新しい静止画に切り替わった後、画面が次の静止画に切り替わるところまでに含まれる複数のフレームの映像信号を取り出して前記メモリに格納することを特徴とする請求項１に記載のデジタルテレビ受信機。
【請求項７】
前記制御部は、前記チューナー部で選択するチャンネルが緊急放送用チャンネルに切り換えられたとき、音声信号処理部における音声信号の再生と前記映像信号処理部における映像信号の再生の同期を外すことを特徴とする請求項１〜６のいずれかに記載のデジタルテレビ受信機。
【請求項８】
フレーム毎に圧縮符号化された映像信号および圧縮符号化された音声信号が多重化された信号を含むデジタルテレビ放送の複数のチャンネルから所望のチャンネルを選択し、前記所望のチャンネルに含まれる多重化信号から映像信号を分離し、デコードおよび伸張して映像信号を再生した後、ディスプレイに映像を表示するデジタルテレビ受信機の制御方法であって、
前記選択したチャンネルが緊急放送用チャンネルであるとき、前記再生した映像信号から所定期間のフレームに含まれる映像信号を取り出してメモリに格納すると共に、前記メモリに格納した映像信号を繰り返し読み出してディスプレイに表示することを特徴とするデジタルテレビ受信機の制御方法。
【請求項９】
前記所定期間のフレームは、１フレーム内の映像信号が圧縮符号化された画像を含むフレームであることを特徴とする請求項８に記載のデジタルテレビ受信機の制御方法。
【請求項１０】
前記所定期間のフレームは、映像信号の圧縮符号化を行う最小単位に含まれる複数のフレームであることを特徴とする請求項８に記載のデジタルテレビ受信機の制御方法。
【請求項１１】
前記所定期間のフレームは、画面が新しい静止画に切り替わった後、放送にエラーがない状態で得られた範囲に含まれる複数のフレームであることを特徴とする請求項８に記載のデジタルテレビ受信機の制御方法。
【請求項１２】
前記所定期間のフレームは、画面が新しい静止画に切り替わった後、伸長時に使用するパラメータの値が最も高精彩になるところまでに含まれる複数のフレームであることを特徴とする請求項８に記載のデジタルテレビ受信機の制御方法。
【請求項１３】
前記所定期間のフレームは、画面が新しい静止画に切り替わった後、画面が次の静止画に切り替わるところまでに含まれる複数のフレームであることを特徴とする請求項８に記載のデジタルテレビ受信機の制御方法。
【請求項１４】
前記選択したチャンネルが緊急放送用チャンネルであるとき、音声信号および映像信号を再生する際の同期を外すことを特徴とする請求項８〜１３のいずれかに記載のデジタルテレビ受信機の制御方法。
【発明の詳細な説明】
【技術分野】
【０００１】
本発明は、携帯電話や携帯用小型テレビ等に用いられる携帯用のデジタルテレビ受信機およびその制御方法に関し、更に詳しくは、携帯用デジタルテレビ受信機における緊急放送受信時の制御に関するものである。
【背景技術】
【０００２】
従来、携帯電話や携帯用小型テレビ等でのテレビ（ＴＶ）受信において、アナログ放送の場合は、受信電波状況が不安定なことから再生画像が乱れるなどの課題があった。このため、これら携帯機器においては、安定したＴＶ受信および再生が可能になるという利点から、デジタル放送方式が採用されつつある。
【０００３】
これら携帯機器に用いられるデジタル放送方式では、動画を伝送した際の再生処理負荷を軽減するために、低ビットレート・高効率な符号化伝送が可能となるＣＯＤＥＣ方式が採用されている。そのため、フレーム（1つの画面）内だけでなく複数のフレーム間でのデータの圧縮が行われており、再生時も複数のフレーム間でのデータの伸長を行う必要がある。
【０００４】
一方、これらの機器では、その携帯性を活かして、地震や災害等の緊急時に緊急放送用の受信端末として使用することが検討されている（非特許文献１参照）。
【０００５】
図７に従来の緊急放送対応デジタルＴＶ受信機のブロック図を示す。以下、図７を参照して従来のデジタルＴＶ受信機の動作について簡単に説明する。
【０００６】
地震や災害等の緊急事態となった時に緊急放送が開始されると、アンテナ７０１で受信したＲＦ信号（放送信号）をチューナー部７０２で復調し、その中から制御信号を取り出して緊急放送検出部７０３に入力する。緊急放送検出部７０３で緊急放送が放送されていることを示す信号ａを検出し、緊急放送切換部７０４に出力する。緊急放送切換部７０４は、緊急放送検出信号ａが入力するとＣＨ切換信号ｂをチューナー部７０２に出力し、このＣＨ切換信号ｂによって、チューナー部７０２は受信チャンネルを緊急放送チャンネルに切り換える。
【０００７】
チューナー部７０２では、緊急放送用チャンネルから多重化された放送信号を抽出し、信号分離部（ＤＥＭＡＸ）７０５で、この多重化信号から映像信号と音声信号、更には文字等のデータを分離する。映像信号は映像信号処理部（Ｖ＿ＤＥＣ）７０６でデコードされ、また文字等のデータは文字等データ信号処理部７０７で再生され、共にアナログ映像信号となり、映像信号表示部７０８で映像として表示される。同様に音声信号は、音声信号処理部（Ａ＿ＤＥＣ）７０９でデコードされてアナログ音声信号となり、音声信号出力部７１０で音声が再生される。このようにして、緊急放送用の受信端末として災害時の非難情報など、様々な情報提供を実現する。
【非特許文献１】「地上デジタルテレビジョン放送運用規定  技術資料  ＡＲＩＢ  ＴＲ−Ｂ１４」（社団法人電波産業界）
【発明の開示】
【発明が解決しようとする課題】
【０００８】
しかしながら、上記従来の構成では、緊急時に必要な情報が十分伝達できない場合や、特別な放送を準備し、それに対応できる回路をデジタルＴＶ受信機に備えておく必要があった。
【０００９】
具体的には、前述したように、携帯機器向けの通常のデジタルＴＶ放送では、低ビットレート・高効率な伝送が可能なＣＯＤＥＣ方式が採用されているため、映像信号処理部７０６において、フレーム（1つの画面）内だけでなく複数のフレーム間でのデータの伸長が行われる。
【００１０】
緊急時の放送として、地図や文字等の静止した画像をカメラで写して放送する場合が多いが、ＣＯＤＥＣ方式により作成された画像を受信すると、緊急時における重要な情報である地図や文字等の静止画情報を動画として再生することになり、圧縮時のフレーム間データ処理の影響で精細度が変動するため、鮮明に知覚できない場合がある。また、災害時に放送局の放送電波が安定的に送出できない場合にも、フレーム間での処理を行っているため、情報の欠落により鮮明な映像を表示することができない場合がある。
【００１１】
これらを回避するには、緊急放送のためにのみ静止画情報を伝送する放送波の仕組みと、その仕組みに対応した放送機器が必要であり、更に、図７の文字等データ信号処理部７０７のように、携帯機器にもそれらの仕組みと放送に対応した回路を搭載しておく必要がある。
【００１２】
本発明は上記課題を解決するため、通常の動画再生回路を用いて緊急放送時に必要とされる静止画情報を高精細に再生できるデジタルＴＶ受信機の提供を目的とする。
【課題を解決するための手段】
【００１３】
上記目的を達成するために、本発明のデジタルＴＶ受信機は、
フレーム毎に圧縮符号化された映像信号および圧縮符号化された音声信号が多重化された信号を含むデジタルテレビ放送の複数のチャンネルから所望のチャンネルを選択し、前記所望のチャンネルに含まれる多重化信号を取り出すチューナー部と、
前記チューナー部で取り出した多重化信号から映像信号を分離する信号分離部と、
前記信号分離部で分離した映像信号をデコードおよび伸張して映像信号を再生する映像信号処理部と、
前記映像信号処理部で再生した映像信号をディスプレイに表示する映像信号表示部と、
前記映像信号処理部で再生した映像信号を格納するメモリと、
前記映像信号処理部の動作を制御する制御部と、
前記チューナー部で受信した放送波から緊急放送に関する信号を検出する緊急放送検出部と、
前記緊急放送検出部で緊急放送に関する信号を検出したときに、前記チューナー部で選択するチャンネルを緊急放送用チャンネルに切り換える緊急放送切換部とを備え、
前記制御部は、前記チューナー部で選択するチャンネルが緊急放送用チャンネルに切り換えられたとき、前記映像信号処理部で再生された映像信号から所定期間のフレームに含まれる映像信号を取り出して前記メモリに格納すると共に、前記メモリから前記映像信号を繰り返し読み出して前記ディスプレイに表示することを特徴とする。
【００１４】
本発明のデジタルテレビ受信機において、前記制御部は、前記映像信号処理部で再生された映像信号から、１フレーム内の映像信号が圧縮符号化された画像を含むフレームの映像信号を取り出して前記メモリに格納することが好ましい。
【００１５】
また本発明のデジタルテレビ受信機において、前記制御部は、前記映像信号処理部で再生された映像信号から、映像信号の圧縮符号化を行う最小単位に含まれる複数のフレームの映像信号を取り出して前記メモリに格納してもよい。
【００１６】
同様に、前記制御部は、前記映像信号処理部で再生された映像信号から、画面が新しい静止画に切り替わった後、放送にエラーがない状態で得られた範囲に含まれる複数のフレームの映像信号を取り出して前記メモリに格納してもよい。
【００１７】
同様に、前記制御部は、前記映像信号処理部で再生された映像信号から、画面が新しい静止画に切り替わった後、伸長時に使用するパラメータの値が最も高精彩になるところまでに含まれる複数のフレームの映像信号を取り出して前記メモリに格納してもよい。
【００１８】
同様に、前記制御部は、前記映像信号処理部で再生された映像信号から、画面が新しい静止画に切り替わった後、画面が次の静止画に切り替わるところまでに含まれる複数のフレームの映像信号を取り出して前記メモリに格納してもよい。
【００１９】
なお、本発明のデジタルテレビ受信機において、前記制御部は、前記チューナー部で選択するチャンネルが緊急放送用チャンネルに切り換えられたとき、音声信号処理部における音声信号の再生と前記映像信号処理部における映像信号の再生の同期を外すことが好ましい。
【００２０】
次に、本発明のデジタルテレビ受信機の制御方法は、
フレーム毎に圧縮符号化された映像信号および圧縮符号化された音声信号が多重化された信号を含むデジタルテレビ放送の複数のチャンネルから所望のチャンネルを選択し、前記所望のチャンネルに含まれる多重化信号から映像信号を分離し、デコードおよび伸張して映像信号を再生した後、ディスプレイに映像を表示するデジタルテレビ受信機の制御方法であって、
前記選択したチャンネルが緊急放送用チャンネルであるとき、前記再生した映像信号から所定期間のフレームに含まれる映像信号を取り出してメモリに格納すると共に、前記メモリに格納した映像信号を繰り返し読み出してディスプレイに表示することを特徴とする。
【発明の効果】
【００２１】
本発明のデジタルＴＶ受信機によれば、緊急放送時における映像信号の再生を適切に制御することにより、通常の動画再生回路を用いて緊急時に必要とされる静止画情報を高精細に再生することができる。このため、放送送出側（放送局など）も、緊急放送のためにのみ静止画情報を伝送する放送波の仕組みと、その仕組みに対応した放送機器が不要となる。
【００２２】
その結果、放送機器および携帯機器の構成を簡潔かつ安価にでき、更に、必要とする緊急時の静止画情報を、通常の放送と同じ回路構成で高精細に受信できる携帯機器を実現することができる。
【発明を実施するための最良の形態】
【００２３】
以下に、本発明の実施の形態について、図面を参照しながら説明する。
【００２４】
（実施の形態１）
図１は、本発明の実施の形態１における緊急放送対応受信機のブロック図である。図１において、１０１は放送波を受信するアンテナ、１０２は、アンテナ１０１で受信した放送波から希望のチャンネルを選択した後、デジタル放送信号に復調するチューナー部、１０３は、チューナー部１０２で復調された放送信号中の制御信号から、緊急放送が放送されていることを示す信号ａを検出する緊急放送検出部、１０４は、緊急放送検出信号ａを受けた時、チューナー部１０２で受信するチャンネルを緊急放送用チャンネルに切り換えるＣＨ切換信号ｂを出力する緊急放送切換部である。
【００２５】
１０５は、チューナー部１０２で選択したチャンネルから放送多重化信号を抽出して映像信号と音声信号の信号列に分離する信号分離部（ＤＥＭＡＸ）、１０６は、信号分離部１０５で分離された映像信号の信号列をデコードして伸張されたデジタル映像信号を再生する映像信号処理部（Ｖ＿ＤＥＣ）、１０７は、映像信号処理部１０６で再生されたデジタル映像信号をアナログの映像信号に変換した後、ディスプレイに表示する映像信号表示部である。
【００２６】
一方、１０８は、信号分離部１０５で分離された音声信号の信号列をデコードしてデジタル音声信号を再生する音声信号処理部（Ａ＿ＤＥＣ）、１０９は、音声信号処理部１０８で再生されたデジタル音声信号をアナログの音声信号に変換した後、スピーカ等に出力する音声信号出力部である。
【００２７】
本実施の形態のデジタルＴＶ受信機は、図７に示す従来のデジタルＴＶ受信機に追加して、再生制御部１１０と緊急放送フレームメモリ１１１を備えている。再生制御部１１０は、緊急放送切換部１０４の出力信号を受けて、映像信号処理部１０６と音声信号処理部１０８の動作を制御し、映像信号処理部１０６で再生された緊急放送のデジタル映像信号から所定期間のフレームに含まれる映像信号を取り出して緊急放送フレームメモリ１１１に格納する。一方、音声信号処理部１０８で再生された緊急放送のデジタル音声信号ついては、映像信号処理部１０６から出力されるデジタル映像信号との同期を外して音声の再生を行う。
【００２８】
図１のデジタルＴＶ受信機の動作説明に先立ち、図２を参照して本発明の原理について説明する。
【００２９】
図２の上段は、放送局から送られてくるＣＯＤＥＣ方式による映像信号の構成を時系列に示したものであり、テレビ画面等の各フレームに対応して、圧縮符号化されたデータであるＩピクチャ２０１、Ｐピクチャ２０２、Ｂピクチャ２０３のいずれかのデータが送られてくる。このうち基準ピクチャであるＩピクチャ２０１は、フレーム内符号化画像と呼ばれ、前後のピクチャとは独立性を保っている。一方、Ｐピクチャ２０２は、フレーム間順方向予測符号化画像と呼ばれ、動き補償を取り入れることにより、データ量の圧縮を図ったもので、Ｉピクチャ２０１から符号化して得られる。またＢピクチャ２０３は、双方向予測符号化画像と呼ばれ、Ｉピクチャ２０１とＰピクチャ２０２の間に挿入される画像であり、Ｉピクチャ２０１とＰピクチャ２０２の情報を基に作られ、データ量の圧縮が図られている。
【００３０】
一方、図２の下段は、上記映像信号に含まれている、画像の細かさをどこまで取り込むかを示すパラメータであるＱ値を示したグラフであり、映像が新しい画面に切り換わる、いわゆるシーンチェンジにおいては、情報量が急激に増加するのを避けるためにＩピクチャ２０１のＱ値を大幅に下げている。映像信号処理部１０６でデコードされる映像データのＱ値を見れば、再生される映像信号の精彩度を確認することができる。
【００３１】
映像信号処理部１０６で映像信号を再生する際には、Ｉピクチャ２０１については、そのままデコード処理し、Ｐピクチャ２０２については、Ｉピクチャ２０１とＰピクチャ２０２の２つの映像データを基にデコード処理を行い、Ｂピクチャ２０３については、Ｉピクチャ２０１、Ｐピクチャ２０２、Ｂピクチャ２０３の３つの映像データを基にデコード処理を行う。具体的なデコード処理については広く知られた内容であるため、ここでは説明を省略する。
【００３２】
本発明では、映像信号処理部１０６で再生された映像信号から所定期間のフレームに含まれる映像信号を取り出して緊急放送フレームメモリ１１１に格納すると共に、フレームメモリ１１１から繰り返し読み出してディスプレイに表示することにより、従来装置の課題であった静止画情報が不鮮明になる点を解決している。
【００３３】
従来のデジタルＴＶ受信機（図７参照）で説明したように、通常の携帯用デジタルＴＶ放送ではＣＯＤＥＣ方式が採用されているため、映像信号処理部１０６ではフレーム（1つの画面）内だけでなく複数のフレーム間の映像データの伸長が行われる。その結果、この放送方式のままで緊急時の放送を受信すると、フレーム間のデータ処理の影響を受けて、画質がフレーム毎に安定しないことから、緊急時における重要な情報である地図や文字等の静止画情報を鮮明に表示できない場合がある。そこで、本実施の形態では、図２の２ａに示すように、緊急放送時にはＩピクチャ２０１の画像信号のみを再生して緊急放送フレームメモリ１１１に格納し、この映像信号を繰り返し読み出して映像信号表示部１０７で再生・表示する。
【００３４】
以下、図１に基づいて、本実施の形態におけるデジタルＴＶ受信機の動作を説明する。
【００３５】
図１において、地震や災害等の緊急事態となった時に緊急放送が開始されると、チューナー部１０２で復調された放送信号の中から制御信号が緊急放送検出部１０３に入力し、ここで緊急放送が放送されていることを示す信号ａを検出する。緊急放送切換部１０４は、この緊急放送検出信号ａを受けてＣＨ切換信号ｂを出力し、このＣＨ切換信号ｂによってチューナー部１０２のチャンネルを切り換えて、緊急放送用チャンネルの放送信号を受信し、緊急放送用チャンネルの放送多重化信号を抽出して信号分離部１０５に出力する。信号分離部１０５で放送多重化信号の中から分離された映像信号および音声信号は、それぞれ映像信号処理部１０６および音声信号処理部１０８に送られる。
【００３６】
緊急放送切換部１０４の出力信号は再生制御部１１０にも入力される。映像信号処理部１０６は、再生制御部１１０からの制御信号により、上述したように、映像信号の信号列からＩピクチャ２０１の映像データをデコードして緊急放送フレームメモリ１１１に格納すると共に、フレームメモリ１１１に格納された映像信号を、映像信号表示部１０７に繰り返し出力してディスプレイに表示する。
【００３７】
一方、再生制御部１１０の制御信号は、音声信号処理部１０８にも入力される。通常、音声信号処理部１０８でデコードされた音声信号は、映像信号処理部１０６でデコードされた映像信号と再生のタイミングがずれないように同期をとって出力されるが、本実施の形態では、緊急放送フレームメモリ１１１に格納された映像信号が繰り返し読み出されるため、同期を外した状態で音声信号処理部１０８から出力する。
【００３８】
このように本実施の形態では、緊急放送フレームメモリ１１１に格納されたＩピクチャに対応する映像信号のみを再生することで、緊急時に必要とされる静止画情報を高精細に再生することを可能としている。
【００３９】
（実施の形態２）
図３は、本発明の実施の形態２における緊急放送対応デジタルＴＶ受信機のブロック図である。図３の構成では、図１の構成にフレーム間ＤＥＣ制御部３０１が追加されている。なお、その他の構成は図１と同様であるため、図１と同一機能を有する部分には同一符号を付して説明を省略する。
【００４０】
前述した図２を参照して本実施の形態の原理について説明すると、実施の形態１では、Ｉピクチャの映像データに基づいて映像信号を再生していたが、本実施の形態では、図２の２ｂに示すように、映像データを圧縮する際の単位であるＶＯＢ単位で映像信号を再生している。
【００４１】
具体的には、緊急放送時に、紙に文字や地図が記載されたような静止画像をカメラで撮影した画面が放送されている場合、１ＶＯＢに当たる１個の基準ピクチャ（Ｉピクチャ）と、それに付随する複数個の予測ピクチャ（Ｐピクチャ、Ｂピクチャ）を伸長して１ＶＯＢ分の映像信号を作成し、この映像信号を緊急放送フレームメモリ１１１に格納すると共に、繰り返し読み出して映像信号表示部１０７で再生・表示する。
【００４２】
実施の形態１のように、基準ピクチャ（Ｉピクチャ）の映像データをデコードして繰り返し再生することにより、従来に比較して静止画情報をより高精細に再生することが可能となるが、再生映像が静止画の場合には、１ＶＯＢに含まれる複数フレームの映像信号を再生することにより、実施の形態１以上に鮮明な静止画情報の再生が可能となる。
【００４３】
図３を参照して本実施の形態におけるデジタルＴＶ受信機の動作を説明する。再生制御部１１０から緊急放送であることを示す制御信号がフレーム間ＤＥＣ制御部３０１に入力された場合、フレーム間ＤＥＣ制御部３０１は、信号分離部１０５で分離され、映像信号処理部１０６でデコードされた映像信号のうち、１ＶＯＢ分のフレームの映像信号を緊急放送フレームメモリ１１１に格納すると共に、これらの映像信号を繰り返し読み出して映像信号表示部１０７に転送し、ディスプレイに表示する。
【００４４】
このように本実施の形態では、フレーム間ＤＥＣ制御部３０１によって、映像信号の再生を行う際に使用するフレームの範囲を、映像信号の圧縮符号化を行う最小単位である１ＶＯＢにすることで、緊急時に必要とされる静止画情報を高精細に再生することを可能としている。
【００４５】
（実施の形態３）
図４は、本発明の実施の形態３における緊急放送対応デジタルＴＶ受信機のブロック図である。図４の構成では、図１の構成に放送エラー＆ＤＥＣ制御部４０１が追加されている。その他の構成は図１と同様であるため、図１と同一機能を有する部分には同一符号を付して説明を省略する。
【００４６】
前述した図２を参照して本実施の形態の原理について説明する。前述したように通常の携帯機器用のデジタルＴＶ放送では、圧縮符号化の方式としてＣＯＤＥＣ方式が採用されているため、フレーム（１つの画面）内だけでなく複数のフレーム間でのデータの伸長が行われる。そのため、図２下段のグラフに示すようにエラー２０５のある緊急放送を受信すると、フレーム間のデータ処理の影響を受けて、画質がエラーフレームにより崩れ、重要な情報である地図や文字等の静止画情報を鮮明に再生できない場合がある。そこで、本実施の形態では、図２中段の２ｃに示すように、緊急放送時に静止画が放送されている場合には、放送波のエラーがないフレーム範囲の映像データを使用してデコード処理を行い、再生された映像信号を緊急放送フレームメモリ１１１に格納すると共に、これを映像信号表示部１０７に転送してディスプレイに表示する。
【００４７】
図４を参照して本実施の形態におけるデジタルＴＶ受信機の動作を説明する。放送エラー＆ＤＥＣ制御部４０１は、再生制御部１１０から緊急放送を受信していることを示す制御信号を入力した場合、チューナー部１０２から放送のエラー情報信号ｄを検出すると、映像信号処理部１０６に指示して、映像信号を再生する際に使用するフレーム範囲を、画面が新しい静止画に切り換わった後、放送にエラーがない状態で得られた範囲に限定し、この範囲のフレームの映像信号を緊急放送フレームメモリ１１１に格納すると共に、繰り返し読み出して映像信号表部１０７で再生・表示する。
【００４８】
このように、本実施の形態では、映像信号を再生する際に使用するフレーム範囲を、画面が新しい静止画に切り替わった後、放送にエラーがない状態で得られた範囲に限定することで、緊急時に必要とされる静止画情報を高精細に再生することを可能としている。
【００４９】
（実施の形態４）
図５は、本発明の実施の形態４における緊急放送対応デジタルＴＶ受信機のブロック図である。図５の構成では、図１の構成にＤＥＣ収束制御部５０１が追加されている。その他の構成は図１と同じであるため、図１と同一機能を有する部分には同一符号を付して説明を省略する。
【００５０】
前述した図２を参照して本実施の形態の原理について説明する。図２のグラフに示すように、Ｑ値２０４は時間と共に変化する。本実施の形態では、緊急放送時に静止画が放送されている場合には、図２中段の２ｄに示すように、映像信号処理部１０６で、放送波のエラーがないフレーム範囲を使用してデコードしながら、Ｑ値２０４が最も高精彩になる、すなわちＱ値２０４が収束する時点２０６までのフレームの映像信号を取り出し、緊急放送フレームメモリ１１１に格納すると共に、映像信号再生部１０７に転送して映像を再生・表示する。
【００５１】
図５を参照して本実施の形態におけるデジタルＴＶ受信機の動作を説明する。再生制御部１１０から緊急放送を受信していることを示す制御信号が入力された場合、ＤＥＣ収束制御部５０１は、チューナー部１０２から得られる放送エラー情報信号ｄと、映像信号処理部１０６から得られるＤＥＣ収束情報信号ｅを検出し、映像信号を再生する際に使用するフレーム範囲として、放送にエラーがない状態で得られた範囲内で、画面が新しい静止画に切り換わった後、デコード条件が最も高精彩すなわち、伸長時に使用するパラメータであるＱ値が最も高精彩になる範囲を用い、この範囲の映像信号を取り出して緊急放送フレームメモリ１１１に格納すると共に、映像信号表示部１０７に転送して映像を再生・表示する。
【００５２】
このように、本実施の形態では、映像信号を再生する際に使用するフレーム範囲を、放送にエラーがない状態で得られた範囲内で、かつデコード条件が最も高精彩すなわち、伸長時に使用するパラメータのＱ値が最も高精彩になるところまでを使用することで、緊急時に必要とされる静止画情報を高精細に再生することを可能としている。
【００５３】
（実施の形態５）
図６は、本発明の実施の形態５における緊急放送対応デジタルＴＶ受信機のブロック図である。図６の構成では、図１の構成に放送内容ＤＥＣ制御部６０１が追加されている。その他の構成は図１と同じであるため、図１と同一機能を有する部分には同一符号を付して説明を省略する。
【００５４】
前述した図２を参照して本実施の形態の原理について説明する。本実施の形態では、緊急放送時に静止画映像が放送されている場合には、図２中段の２ｅに示すように、放送波のエラーがないフレーム範囲を使用して映像データをデコードしながら、映像信号処理部１０６で使用している伸長用パラメータであるＱ値が急激に変化するまで、すなわち画面の静止画が切り換わってから次の静止画に切り換わるまでのフレームの映像信号を緊急放送フレームメモリ１１１に格納すると共に、映像信号再生部１０７に転送して映像を再生・表示する。
【００５５】
図６を参照して本実施の形態におけるデジタルＴＶ受信機の動作を説明する。再生制御部１１０から緊急放送を受信していることを示す制御信号が入力された場合、放送内容ＤＥＣ制御部６０１は、チューナー部１０２から得られる放送エラー情報信号ｄと、映像信号処理部１０６から得られるＤＥＣ収束情報信号ｅを検出し、映像信号処理部１０６において映像再生をする際に使用するフレーム範囲を、放送にエラーがない状態で得られた範囲内で、かつデコード条件が急激に変化し、画面の静止画が切り換わってから次の静止画に切り換わるところまでを使用して再生する動作に切り換える。
【００５６】
このように、本実施の形態では、映像再生をする際に使用するフレーム範囲を、放送にエラーがない状態で得られた範囲内で、かつデコード条件が急激に変化し静止画情報が変化した（次の静止画に変わった）ところまでを使用することで、緊急時に必要とされる静止画情報を高精細に再生することを可能としている。なお、上述のような制御を行いつつ、ユーザが画像表示内容を確認しつつ再生される静止画の選択（処理の途中終了）または再処理の起動（更新）を行えるようにすることが好ましい。
【産業上の利用可能性】
【００５７】
本発明にかかる携帯用のデジタルＴＶ受信機は、従来の方法で必要とされた、緊急放送用の静止画情報を伝送する放送波に対応した回路を搭載しなくても、緊急時に必要とされる静止画情報を高精細に再生することができる。しかも、放送局等の放送送出側も、緊急放送のためにのみ静止画情報を伝送する放送波の仕組みや、その仕組みに対応した放送機器が不要となるため、携帯電話や携帯用小型テレビ等を用いた緊急時の放送受信に対して有用である。
【図面の簡単な説明】
【００５８】
【図１】本発明の実施の形態１における緊急放送対応デジタルＴＶ受信機のブロック図
【図２】本発明の映像再生方法の原理を説明する説明図
【図３】本発明の実施の形態２におけるデジタルＴＶ受信機のブロック図
【図４】本発明の実施の形態３におけるデジタルＴＶ受信機のブロック図
【図５】本発明の実施の形態４におけるデジタルＴＶ受信機のブロック図
【図６】本発明の実施の形態５におけるデジタルＴＶ受信機のブロック図
【図７】従来の緊急放送対応デジタルＴＶ受信機のブロック図
【符号の説明】
【００５９】
１０１  アンテナ
１０２  チューナー部
１０３  緊急放送検出部
１０４  緊急放送切換部
１０５  信号分離部（ＤＥＭＡＸ）
１０６  映像信号処理部（Ｖ＿ＤＥＣ）
１０７  映像信号表示部
１０８  音声信号処理部（Ａ＿ＤＥＣ）
１０９  音声信号出力部
１１０  再生制御部
１１１  緊急放送フレームメモリ
３０１  フレーム間ＤＥＣ制御部
４０１  放送エラー＆ＤＥＣ制御部
５０１  ＤＥＣ収束制御部
６０１  放送内容ＤＥＣ制御部
【図１】
2007221634.tif 000003
【図２】
2007221634.tif 000004
【図３】
2007221634.tif 000005
【図４】
2007221634.tif 000006
【図５】
2007221634.tif 000007
【図６】
2007221634.tif 000008
【図７】
2007221634.tif 000009